(57)【要約】【課題】  それぞれ送気送水バルブ，吸引バルブ等の構造が異なる複数種類の内視鏡に適用可能な洗浄アダプタを提供する。【解決手段】  洗浄アダプタユニット５０を構成する２つの洗浄アダプタ６０，７０は、バルブスリーブ６１，７１と、このバルブスリーブ６１，７１内に軸線方向に摺動可能に設けたバルブ本体６２，７２とを有し、第１の接続通路６４，７４が常時連通するバルブチャンバ６３，７３が形成され、バルブチャンバ６３，７３には、バルブ本体６２，７２の両端に開口する第２の接続通路６５，７５と、第３の接続通路６６，７６とが選択的に接続される。第１の嵌合部６８，７８はそれぞれ弁ケーシング２１及び弁ガイド３２に挿入され、反対側の第２の嵌合部６９，７９は弁ケーシング４２内に挿入される。【選択図】  図５
2006149736.tif 000002
【特許請求の範囲】
【請求項１】
内視鏡の本体操作部に、複数の管路が接続した弁ケーシングを含む流体制御弁を設け、この弁ケーシングに装着可能な薬液供給用の洗浄アダプタにおいて、
薬液供給手段が着脱可能に接続される第１の接続通路を設けたバルブスリーブ及びこのバルブスリーブ内に摺動可能に設けたバルブ本体からなるバルブ部材と、
前記バルブスリーブとバルブ本体との間に形成され、前記第１の接続通路と常時連通するバルブチャンバと、
前記バルブ本体の両端に開口し、このバルブ本体の前記バルブスリーブ内での摺動により前記バルブチャンバと選択的に連通する前記第２，第３の接続通路と、
前記第２の接続通路を介して前記弁ケーシングを前記バルブチャンバに連通させ、かつ前記第３の接続通路と前記バルブチャンバとの連通を遮断させる第１の嵌合部と、
前記第３の接続通路を介して前記弁ケーシングを前記バルブチャンバに連通させ、かつ前記第２の接続通路と前記バルブチャンバとの連通を遮断させる第２の嵌合部とを備え、
これら第１，第２の嵌合部は、前記バルブスリーブまたはバルブ本体に設けられ、それぞれ異なる弁ケーシングに着脱可能な
ものとして構成したことを特徴とする洗浄アダプタ。
【請求項２】
前記弁ケーシングは前記本体操作部に２箇所並べて設けられ、一方の弁ケーシングに装着される流体制御弁は送気送水弁であり、他方の弁ケーシングに装着される流体制御弁は吸引弁であり、前記バルブ部材は、前記両弁ケーシングに接続可能とするために、前記両バルブスリーブは連結部材により相互に所定の間隔を保持するように離間させた状態で一体化する構成としたことを特徴とする請求項１記載の洗浄アダプタ。
【請求項３】
前記弁ケーシングには前記本体操作部から突出する周壁部が設けられ、前記連結部材にはストッパ板が摺動変位可能に設けられ、このストッパ板に前記周壁部の外径より大きい孔径の透孔を設け、前記連結部材とストッパ板との間には、前記透孔を前記周壁部の側面に押圧させる押圧手段を介装する構成としたことを特徴とする請求項２記載の洗浄アダプタ。
【発明の詳細な説明】
【技術分野】
【０００１】
本発明は、医療用等として用いられる内視鏡に設けた管路の内部を洗浄するために、流体制御弁が装着され、これら管路が接続されている弁ケーシングに装着して、薬液を供給するための洗浄アダプタに関するものである。
【背景技術】
【０００２】
特に医療用として用いられる内視鏡には、その挿入部の先端に開口する複数の管路が設けられている。その代表的なものとしては処置具挿通チャンネルがある。処置具挿通チャンネルは鉗子その他の処置具を体内に挿入して、体内組織の採取や患部の治療等が施されるようになっている。また、挿入部の先端には観察窓が設けられており、この観察窓が体液等で汚損されたときには、送気送水チューブ及びノズルによって、水及び加圧エアを噴出させて、汚損物を除去することによって、観察窓による視野を良好に保つようにする。また、体内の汚物を吸引除去する吸引通路も設けられる。ただし、この吸引通路は独立の通路として構成するのではなく、処置具挿通チャンネルを兼用することになる。そして、処置具挿通チャンネルは本体操作部における所定の位置に設けた処置具導入部に接続されるが、吸引通路はこの処置具挿通チャンネルから分岐して、ユニバーサルコード内に延在させて、吸引源に通じる通路を構成している。さらに、これら以外にも、補助噴射通路を設ける構成としたものもある。
【０００３】
これらの管路のうち、送気送水チューブ及び吸引通路は、本体操作部に設けた流体制御弁により制御されるものである。流体制御弁は、送気送水バルブと吸引バルブとから構成され、本体操作部を把持する手の指で操作できるようになっている。このために、これら送気送水バルブと吸引バルブとは近接した位置に配設されている。送気送水バルブ及び吸引バルブは、それぞれ必要な通路が接続された弁ケーシングに弁部材を装着し、術者等がこの弁部材を操作するために、本体操作部のハウジングから突出する状態に操作ボタンが設けられる。
【０００４】
以上のことから、送気送水チューブ及び吸引通路を洗浄できるようにするために、送気送水バルブ及び吸引バルブの弁部材及び操作ボタンを取り外して、これらに代えて洗浄アダプタを装着する構成としたものが、例えば特許文献１に開示されている。即ち、この特許文献１の開示においては、弁部材と操作ボタンとを取り外すと、弁機構のケーシングが本体操作部の外部に露出するようになり、かつケーシングには操作ボタンを装着するためのフランジ部が形成されている。特許文献１における洗浄アダプタは、このフランジ部を利用して装着する構成としている。
【特許文献１】特公平６−６１０３号公報
【発明の開示】
【発明が解決しようとする課題】
【０００５】
ところで、内視鏡の送気送水バルブ及び吸引バルブは、ケーシングから弁部材及び操作ボタンを取り外すことができるようにはなっているものの、これらを取り外した状態でのケーシングの先端部分の形状や寸法等は一定ではない。従って、複数種類の内視鏡を洗浄する場合には、それぞれの取付構造の異なる洗浄アダプタを用意しておかなければならないことになり、これらの収納スペースを確保し、この収納スペースから洗浄するのに見合った洗浄アダプタを選択して取り出すというように、使い分けが必要である等の面倒がある等といった不都合がある。
【０００６】
本発明は以上の点に鑑みてなされたものであって、その目的とするところは、それぞれ送気送水バルブ，吸引バルブ等の構造が異なる複数種類の内視鏡に適用可能な洗浄アダプタを提供することにある。
【課題を解決するための手段】
【０００７】
前述した目的を達成するために、本発明は、内視鏡の本体操作部に、複数の管路が接続した弁ケーシングを含む流体制御弁を設け、この弁ケーシングに装着可能な薬液供給用の洗浄アダプタであって、薬液供給手段が着脱可能に接続される第１の接続通路を設けたバルブスリーブ及びこのバルブスリーブ内に摺動可能に設けたバルブ本体からなるバルブ部材と、前記バルブスリーブとバルブ本体との間に形成され、前記第１の接続通路と常時連通するバルブチャンバと、前記バルブ本体の両端に開口し、このバルブ本体の前記バルブスリーブ内での摺動により前記バルブチャンバと選択的に連通する前記第２，第３の接続通路と、前記第２の接続通路を介して前記弁ケーシングを前記バルブチャンバに連通させ、かつ前記第３の接続通路と前記バルブチャンバとの連通を遮断させる第１の嵌合部と、前記第３の接続通路を介して前記弁ケーシングを前記バルブチャンバに連通させ、かつ前記第２の接続通路と前記バルブチャンバとの連通を遮断させる第２の嵌合部とを備え、これら第１，第２の嵌合部は、前記バルブスリーブまたはバルブ本体に設けられ、それぞれ異なる弁ケーシングに着脱可能なものとして構成したことをその特徴とするものである。
【０００８】
洗浄アダプタは、管路の内部を滅菌するための洗浄液，消毒液，滅菌液等といった液体（以下、薬液という）を供給するための手段を内視鏡の管路の先端に接続するために介在させる機構である。一般に、薬液供給手段の構成としては、薬液供給チューブと供給ポンプ、シリンジ等が用いられる。そして、洗浄アダプタはこの薬液供給手段が接続可能な第１の接続通路を備えている。一方、内視鏡側においては、流体制御弁を構成する弁機構部及び操作ボタンを取り外した弁ケーシングには、第２及び第３の接続通路のいずれかが接続される。従って、第２の接続通路を接続するか、第３の接続通路を接続するかにより、相異なる弁ケーシングの構造を有する２種類の内視鏡に適用可能となる。
【０００９】
ここで、洗浄アダプタが接続される弁ケーシングに装着される流体制御弁としては、格別制限はないが、内視鏡に一般的に設けられる流体制御弁は送気送水バルブと吸引バルブとである。従って、洗浄アダプタは、これらに対して着脱可能に接続されるものである。一般的な内視鏡にあっては、送気送水バルブと吸引バルブとは、術者が手指で操作できるようにするために、両者は近接した位置に配置されている。そこで、両洗浄アダプタを構成する各バルブスリーブを連結部材で連結することにより２個の洗浄アダプタを１つのユニットとして構成することができる。また、この連結部材はホルダに装着され、前記両バルブ部材はこのホルダに設けた貫通孔内に位置し、前記弁ケーシングのうち、前記本体操作部のケーシングから突出する周壁部を有する弁ケーシングに装着する際には、前記ホルダに設けた貫通孔をその周壁部の側面に押圧させるように、ばね等の付勢手段や、ゴム等の弾性手段からなる押圧手段を連結部材とホルダとの間に設けるように構成することもできる。
【発明の効果】
【００１０】
以上のように構成することによって、複数種類の内視鏡に洗浄アダプタを共用することができるようになる。
【発明を実施するための最良の形態】
【００１１】
以下、図面に基づいて本発明の実施の一形態について説明する。まず、図１に内視鏡に設けられる管路の概略構成を示す。図中において、１は本体操作部、２は体腔内等への挿入部、３はユニバーサルコードであり、ユニバーサルコード３の先端部はコネクタ４が設けられており、このコネクタ４は制御装置５（光源装置や映像信号処理回路を含むのが一般的である）に着脱されるようになっている。本体操作部１には、送気送水バルブ６及び吸引バルブ７が装着されており、また処置具導入部８が設けられている。
【００１２】
内視鏡における管路としては、処置具挿通チャンネル１０と、送気配管１１，送水配管１２及び吸引通路１３が主なものである。処置具挿通チャンネル１０は、その基端部が処置具導入部８に接続され、先端部は挿入部２の先端面に開口している。送気配管１１及び送水配管１２は、共に送気送水バルブ６に接続されており、それらの先端は、そのまままたは両管路を合流させた上で、ノズル１４によって図示しない観察窓に向けられる。送気配管１１及び送水配管１２における送気送水バルブ６から基端側は、ユニバーサルコード３のコネクタ４にまで延在されている。そして、送水配管１２は、送水タンク１５からの配管１６に接続されることになる。
【００１３】
制御装置５にはエアポンプ１７が装着されており、このエアポンプ１７からの配管１８は送気配管１１に着脱可能に接続されるようになっている。さらに、送気配管１１は、送水タンク１５の液面を加圧するための加圧配管１９とも接続可能な構成となっている。さらに、吸引通路１３は、本体操作部１内において、処置具挿通チャンネル１３に合流しており、また吸引バルブ７を介してユニバーサルコード３のコネクタ４まで引き回されて、図示しない吸引源に着脱可能に接続されるようになっている。
【００１４】
以上のように構成される内視鏡の各管路を洗浄するために、送気送水バルブ６及び吸引バルブ７に本発明の特徴とする洗浄アダプタが着脱可能に装着されるようになっている。送気送水バルブ６及び吸引バルブ７には、それぞれ流体制御弁としての機構が装着されている。ここで、送気送水バルブ及び吸引バルブは、内視鏡の種類等により異なる構成を有している。例えば、図２と図３とでは、これらの流体制御弁の構成やサイズ等が異なっている。なお、内視鏡の管路そのものの構成は変わらないので、異なる流体制御弁についても同じ符号を用いる。また、各管路において、それぞれ流体制御弁を介して先端側、つまり挿入部２方向に延在される側は「ａ」、基端側、つまりユニバーサルコード３方向に延在されている側は「ｂ」の添え字を付するものとする。
【００１５】
而して、図２に１つのタイプの送気送水バルブ２０及び吸引バルブ３０の断面構成を示す。本体操作部１におけるハウジング１ａには、送気送水バルブ２０の装着部２０ａと、吸引バルブ３０の装着部３０ａとが形成されており、これら各装着部２０ａ，３０ａには弁ケーシング２１，３１が固定的に装着されており、弁ケーシング２１，３１の大半の部分は本体操作部１の内部に位置している。そして、弁ケーシング２１には、送気配管１１ａ，１１ｂと、送水配管１２ａ，１２ｂとが接続されている。また、弁ケーシング３１には吸引通路１３ａ，１３ｂが接続されている。
【００１６】
送気送水バルブ２０の弁ケーシング２１内には、弁部材２２が装着されており、また弁ケーシング２１の開口端側は大径部２１ａとなってこの大径部２１ａ内には弁ガイド２３が嵌合されている。さらに、弁部材２２の先端部には術者が操作する操作ボタン２４が固定して設けられている。そして、弁ケーシング２１に対して、弁部材２２，弁ガイド２３及び操作ボタン２４は一体的に取り外すことができるようになっている。
【００１７】
吸引バルブ３０は、弁ケーシング３１に、弁ガイド３２が連結固定されており、この弁ガイド３２は、本体操作部１のハウジング１ａに装着される。そして、弁部材３３は、その先端部が弁ケーシング３１の内面にガイドされ、中間部は大径部となって弁ガイド３２にガイドされる。また、操作ボタン３４は弁部材３３の先端に連結されている。そして、弁部材３３と操作ボタン３４とは、ばね受け部材３５と共に弁ガイド３２から取り外すことができるようになっている。
【００１８】
次に、図３には、他の構成を有する送気送水バルブ４０が示されている。この図から明らかなように、送気送水バルブ４０は本体操作部１のハウジング１ａに設けた装着部４１に装着された弁ケーシング４２と、この弁ケーシング４２内に設けられ、弁部材４３と操作ボタン４４とからなるユニットとから構成される。この場合における弁ケーシング４２の装着部４１への取付構造としては、装着部４１は弁ケーシング４２を挿通させる小径孔部４１ａと、弁ケーシング４２を固定するためのナット４５を装着した大径部４１ｂとを有する構造となっている。そして、弁ケーシング４２の先端側の内面には弁ガイド４６が螺挿されており、この弁ガイド４６の先端面は円環状となったフランジ部４６ａを有し、このフランジ部４６ａの表面にＯリング４７が装着されるシール溝４８が形成されて、弁部材４３と操作ボタン４４とのユニットが装着されたときに、弁ケーシング４２の内部をシールするようにしている。
【００１９】
また、この送気送水バルブ４０と並ぶようにして吸引バルブが装着されるが、その弁ケーシングの具体的な構成は送気送水バルブ４０と全く同じ構造となっており、その図示及び説明は省略する。そして、以下の説明においては、吸引バルブを符号４９で引用し、この吸引バルブ４９を構成する弁ケーシング及びその取付構造部については、送気送水バルブ４０のそれと同じ符号を使用する（ただし、吸引バルブ４９は図面上では表されておらず、具体的な構成については図２を参照のこと）。
【００２０】
図２に示した構成の流体制御弁の弁ケーシングにも、また図３に示した構成の流体制御弁の弁ケーシングにも装着することができる洗浄アダプタユニット５０の構成を図４に示す。同図に示したように、洗浄アダプタユニット５０は、２つの洗浄アダプタ６０，７０と、これら両洗浄アダプタ６０，７０を連結する連結部材８０とから構成される。
【００２１】
洗浄アダプタ６０，７０は、図５及び図６に示したように、バルブスリーブ６１，７１と、このバルブスリーブ６１，７１内に軸線方向に摺動可能に設けたバルブ本体６２，７２とから構成される。
【００２２】
バルブスリーブ６１，７１は、その中間部が軸線方向に所定の長さ分だけ大径化され、かつバルブ本体６２，７２の中間部は細径化されている。従って、その間に生じる径差によって、円環状の隙間からなるバルブチャンバ６３，７３が形成されている。そして、このバルブチャンバ６３，７３には第１の接続通路６４，７４が連通しており、この第１の接続通路６４，７４はバルブ本体６２，７２の軸線と直交する方向に延在させたパイプから構成される。従って、これら第１の接続通路６４，７４には薬液供給手段が着脱可能に装着できる。
【００２３】
バルブ本体６２，７２の両端にはそれぞれ第２の接続通路６５，７５と、第３の接続通路６６，７６とが開口している。第２の接続通路６５，７５と、第３の接続通路６６，７６とは選択的にバルブチャンバ６３，７３と接続され、これと同時にバルブチャンバ６３，７３と接続されない側の接続通路を大気と遮断するものである。このために、バルブ本体６２，７２の軸線方向における両側の細径部とバルブ本体６２，７２の両端における太径の部分との間が摺動面となっており、かつバルブ本体６２，７２には、この摺動面の中間細径部に近い位置にそれぞれシールリング６７ａ，６７ｂ及び７７ａ，７７ｂが装着されて、これらのシールリングの作用で、第１の接続通路６４，７４が、第２の接続通路６５，７５または第３の接続通路６６，７６に連通する状態に切り換わるようになっている。ここで、第３の接続通路６６，７６はバルブ本体６２，７２に直接形成されているが、第２の接続通路６５，７５はバルブ本体６２，７２に嵌合させた通路構成体６５ａ，７５ａを含むものである。
【００２４】
即ち、第２の接続通路６５，７５及び第３の接続通路６６，７６は、バルブ本体６２，７２の両端から軸線方向に向けた通路となり、その途中で半径方向外向きの通路となり、それぞれシールリング６７ａ，６７ｂ及び７７ａ，７７ｂに至る手前位置で、外周面に開口している。従って、バルブ本体６２，７２のバルブスリーブ６１，７１内での軸線方向の位置によって、シールリングが摺動面に位置する側の接続通路は第１の接続通路６４，７４と遮断され、シールリング及び接続通路がバルブチャンバ６３，７３に開口する側が、このバルブチャンバ６３，７３を介して第１の接続通路６４，７４と連通する。バルブスリーブ６１，７１における第２の接続通路６５，７５側の端部近傍にはOリング６１ａ，７１ａが装着されて、第１の嵌合部６８，７８となっている。一方、バルブ本体６２，７２の第３の接続通路６６，７６を開口させた端部は太径化され、かつ外周面にＯリング６２ａ，７２ａが装着されて、第２の嵌合部６９，７９となっている。
【００２５】
既に説明したように、バルブスリーブ６１，７１はバルブ本体６２，７２の軸線方向に摺動可能な構成となっているが、このバルブスリーブ６１，７１の移動ストロークは、その端面がバルブ本体６２，７２における第２の嵌合部６９，７９への移行部の段差に当接する位置と、バルブ本体６２，７２に挿嵌させた通路構成体６５ａ，７５ａに形成した段差に当接する位置との間に摺動変位する。つまり、これらがバルブスリーブ６１，７１の移動ストロークの両端を規制する機能を発揮する。
【００２６】
以上のように構成することによって、異なる流体制御弁を装着した２種類の内視鏡に装着可能となっている。図５に示したのは、図２の送気送水バルブ２０及び吸引バルブ３０を設けた内視鏡に洗浄アダプタユニット５０を装着した状態を、また図６に示したのは、図３の送気送水バルブ４０及び吸引バルブ４９を設けた内視鏡に洗浄アダプタユニット５０を装着した状態を示している。いずれにしろ、それぞれ洗浄アダプタユニット５０が装着される内視鏡に設けた２つの流体制御弁の位置関係はほぼ変わらない。そこで、洗浄アダプタユニット５０を構成する２つの洗浄アダプタ６０，７０は連結部材８０により連結して一体化させることにより、取り扱いが容易になるようにしている。
【００２７】
この連結部材８０は両洗浄アダプタ６０，７０の第１の嵌合部６８，７８を設けた側とは反対側の部位において、２つのバルブスリーブ６１，７１を連結するものである。そして、この連結部材８０の一端側にはばねガイド８１が突出するように設けられており、このばねガイド８１を設けた側の端部において、概略Ｌ字形状となったストッパ板８２が装着されて、このストッパ板８２の曲げ部８２ａには一方向に押動するためのばね８３が設けられている。ストッパ板８２には送気送水バルブ４０及び吸引バルブ４９に装着した最も外径の大きい弁ガイド４６のフランジ部４６ａの外径より大きい透孔８４，８４が穿設されており、洗浄アダプタユニット５０を図３の送気送水バルブ４０及び吸引バルブ４９に装着したときに、ストッパ板８２の透孔８４はフランジ部４６ａに嵌合されて、ナット４５の側面部にストッパ板８２の透孔８４の端面が圧接されるようになっている。
【００２８】
内視鏡は使用の都度洗浄されるものであり、その洗浄は体腔内に挿入された挿入部２だけでなく、本体操作部１及びユニバーサルコード３、さらにはコネクタ４を含めた全体を少なくとも洗浄液に浸漬させて洗浄する。また、処置具挿通チャンネル１０，送気配管１１，送水配管１２及び吸引通路１３の内部にも薬液を供給することにより洗浄する。この洗浄を容易に、しかも確実に行うために、送気送水バルブ及び吸引バルブの弁ケーシングから弁部材及び操作ボタンを含む部材を取り外して、薬液供給手段が接続される洗浄アダプタユニット５０を弁ケーシングに装着する。そして、この洗浄アダプタユニット５０を構成する２個の洗浄アダプタ６０及び７０における第１の接続部６４及び７４に薬液供給チューブを接続する等によって、管路の洗浄が実行される。
【００２９】
而して、１個の洗浄アダプタユニット５０によって、異なる種類の内視鏡に接続することができる。即ち、図２にあるように、送気送水バルブ２０と吸引バルブ３０とを装着した内視鏡を洗浄する場合には、送気送水バルブ２０の弁ケーシング２１から弁部材２２及び弁ガイド２３、さらには操作ボタン２４を取り外す。また、吸引バルブ３０については、弁ケーシング３１と弁ガイド３２とが連結した状態となっており、これから弁部材３３及び操作ボタン３４を取り外す。
【００３０】
この状態で、洗浄アダプタユニット５０を構成する２個の洗浄アダプタ６０，７０に設けた第１の嵌合部６８，７８をそれぞれ弁ケーシング２１及び弁ガイド３２に挿入する。そして、これら第１の嵌合部６８，７８を構成するバルブスリーブ６１，７１の端面をそれぞれ弁ケーシング２１，弁ガイド３２の段差面に押し当てるようにする。この状態で、バルブ本体６２，７２における第２の嵌合部６９，７９側をバルブスリーブ６１，７１内に押し込む方向に押圧する。
【００３１】
その結果、図５に示したように、常時第１の接続通路６５，７５と連通しているバルブチャンバ６３，７３が第２の接続通路６５，７５と連通する。このときに、バルブ本体６２，７２に設けたシールリング６７ｂ，７７ｂがそれとバルブスリーブ６１，７１の縮径部分の内面における摺接部に当接して、第３の接続通路６６，７６が閉鎖され、外気と遮断される。第２の接続通路６５，７５は送気送水バルブ２０の弁ケーシング２１及び吸引バルブ３０の弁ガイド３２及び弁ケーシング３１と連通する。そして、これら弁ケーシング２１，３１に接続した各管路は全て弁ケーシング２１，３１に開口しているので、第１の接続通路６４，７４に薬液供給手段を接続して、薬液を圧送することによって、各管路を洗浄・消毒することができる。
【００３２】
ここで、第１の嵌合部６８，７８の弁ケーシング２１及び弁ガイド３２への挿入長はある程度長くなっており、かつＯリング６１ａ，７１ａ（図示したものにあっては、第１の嵌合部６８側では上下２個のＯリング）の圧縮による抵抗が生じることから、第１の接続通路６４，７４への薬液供給手段の接続時や、内視鏡全体を洗浄する際等において、洗浄アダプタユニット５０が外れるおそれはない。
【００３３】
次に、図３に示した送気送水バルブ４０，吸引バルブ４９を装着した内視鏡に対して、弁ケーシング４２から弁部材４３及び操作ボタン４４を取り外して、洗浄アダプタユニット５０を装着する。ただし、このときには、図２の内視鏡とは異なり、図６に示したように、洗浄アダプタユニット５０を構成する２個の洗浄アダプタ６０，７０のうち、第１の嵌合部６８，７８とは反対側に設けた第２の嵌合部６９，７９を弁ケーシング４２，４２に挿入する。つまり、洗浄アダプタユニット５０の天地が逆になるようにして内視鏡に装着する。
【００３４】
第２の嵌合部６９，７９はバルブ本体６２，７２と一体に形成されており、その外周面にはＯリング６２ａ，７２ａが設けられているので、弁ケーシング４２内には、これらＯリング６２ａ，７２ａが押し込まれることになる。そして、バルブスリーブ６１の端面を第２の嵌合部６９，７９における肩部（バルブ本体６２，７２の拡径部における段差面）に当接させる。なお、第２の嵌合部６９，７９側にはストッパ板８２が設けられている。そして、このストッパ板８２には透孔８４，８４が形成されているので、ばね８３を押動するようにして、弁ガイド４６のフランジ部４６ａをこの透孔８４に挿通させる。
【００３５】
その結果、図６に示したように、常時第１の接続通路６４，７４と連通しているバルブチャンバ６３，７３が第３の接続通路６６，７６と連通する。このときに、バルブ本体６２，７２に設けたシールリング６７ｂ，７７ｂがバルブスリーブ６１，７１の縮径部分の内面における摺接部に当接して、第２の接続通路６５，７５から大気への連通が閉鎖され、第３の接続通路６６，７６は各管路が開口している弁ケーシング４２と連通する。これにより、第１の接続通路６４，７４に薬液供給手段を接続して、薬液を圧送することによって、各管路を洗浄・消毒することができる。
【００３６】
この場合も、第２の嵌合部６９，７９の弁ケーシング４２内面へのＯリング６２ａ，７２ａの圧縮による押圧力の作用により洗浄アダプタユニット５０が保持されるが、さらにストッパ板８２の作用によりこの洗浄アダプタユニット５０の内視鏡からの抜け止め機能が発揮される。勿論、ストッパ板８２を押し込めば、弁ガイド４６のフランジ部４６ａを透孔８４から離脱させることができる。
【図面の簡単な説明】
【００３７】
【図１】内視鏡の管路構成を示す説明図である。
【図２】第１のタイプの内視鏡における送気送水バルブ及び吸引バルブの断面図である。
【図３】第２のタイプの内視鏡における送気送水バルブの弁部材及び操作ボタンを取り出した状態を示す弁ケーシングの断面図である。
【図４】本発明による洗浄アダプタユニットの外観図である。
【図５】図２の内視鏡に洗浄アダプタユニットを組み込んだ状態を示す断面図である。
【図６】図３の内視鏡に洗浄アダプタユニットを組み込んだ状態を示す断面図である。
【符号の説明】
【００３８】
６，２０，４０  送気送水バルブ
７，３０，４９  吸引バルブ
１０  処置具挿通チャンネル
１１  送気配管
１２  送水配管
１３  吸引通路
２１，３１，４２  弁ケーシング
２２，３３，４３  弁部材
２３，３２，４６  弁ガイド
２４，３４，４４  操作ボタン
５０  洗浄アダプタユニット
６０，７０  洗浄アダプタ
６１，７１  バルブスリーブ
６２，７２  バルブ本体
６１ａ，６２ａ，７１ａ，７２ａ  Ｏリング
６３，７３  バルブチャンバ
６４，７４  第１の接続通路
６５，７５  第２の接続通路
６６，７６  第３の接続通路
６７ａ，６７ｂ，７７ａ，７７ｂ  シールリング
６８，７８  第１の嵌合部
６９，７９  第２の嵌合部
８０  連結部材
８２  ストッパ板
８３  ばね
８４  透孔
【図１】
2006149736.tif 000003
【図２】
2006149736.tif 000004
【図３】
2006149736.tif 000005
【図４】
2006149736.tif 000006
【図５】
2006149736.tif 000007
【図６】
2006149736.tif 000008